(57)【特許請求の範囲】
【請求項１】
表示領域を分割して作成した複数の区画それぞれに、他の区画と異なる静止画像を表示するマルチ画面表示機能を有する画像再生装置において、
時間的に連続した複数の静止画像で構成される連写画像の中から抽出した複数の静止画像を前記区画に表示するものであって、前記マルチ画面の先頭の区画に表示させる静止画像が前記連写画像中の先頭の画像以外のいずれかの連写画像に切換えられた場合に、当該切換えられた静止画像を先頭の区画に表示するとともに、最終の区画以外の残りの各区画に切換え後の静止画像から最終の静止画像までが時間的に略等間隔になるように前記連写画像の中から抽出した静止画像を表示する前記マルチ画面表示制御手段
を具備することを特徴とする画像再生装置。
【請求項２】
表示領域を分割して作成した複数の区画それぞれに、他の区画と異なる静止画像を表示するマルチ画面表示機能を有する画像再生装置において、
時間的に連続した複数の静止画像で構成される連写画像の中から抽出した複数の静止画像を前記区画に表示するものであって、前記マルチ画面の最終の区画に表示させる静止画像が前記連写画像中の最後の画像以外のいずれかの連写画像に切換えられた場合に、当該切換えられた静止画像を最終の区画に表示するとともに、先頭の区画以外の残りの各区画に先頭の静止画像から切換え後の静止画像までが時間的に略等間隔になるように前記連写画像の中から抽出した静止画像を表示する前記マルチ画面表示制御手段
を具備することを特徴とする画像再生装置。
【請求項３】
表示領域を分割して作成した複数の区画それぞれに、他の区画と異なる静止画像を表示するマルチ画面表示機能を有する画像再生装置において、
時間的に連続した複数の静止画像で構成される連写画像の中から抽出した複数の静止画像を前記区画に表示するものであって、前記マルチ画面の先頭および最終以外の中間のいずれか選択された区画に表示させる静止画像が前記連写画像中の先頭および最後の画像以外のいずれかの連写画像に切換えられた場合に、この切り換え後の静止画像を当該選択された区画に表示するとともに、先頭および最終の区画以外の残りの各区画において、先頭の静止画像から切り換え後の静止画像までが時間的に略等間隔になり、かつ、切り換え後の静止画像から最終の静止画像までが時間的に略等間隔になるように前記連写画像の中から抽出した静止画像を表示するマルチ画面表示制御手段
を具備することを特徴とする画像再生装置。
【請求項４】
前記マルチ画面表示制御手段は、前記選択された区画を識別するための特定の形状の図形を表示することを特徴とする請求項３に記載の画像再生装置。
【請求項５】
前記マルチ画面表示制御手段は、前記区画に表示された隣接する静止画像の時間的な間隔を表示することを特徴とする請求項１乃至３のいずれか１項に記載の画像再生装置。
【請求項６】
請求項１乃至５のいずれかに記載の画像再生装置と、
前記画像再生装置のマルチ画面表示制御手段により表示された画像の画像データを当該連写画像の画像データが記録された記録媒体に当該連写画像の画像データと関連づけて記録する画像記録手段と
を具備することを特徴とする画像記録装置。
【発明の詳細な説明】
【０００１】
【発明の属する技術分野】
この発明は、複数の静止画像を同一画面上に並べて表示するマルチ画面表示機能を有する画像再生装置および同装置を適用する画像記録装置に関する。
【０００２】
【従来の技術】
近年、被写体像を撮像光学系により固体撮像素子、たとえばＣＣＤ二次元イメージセンサ上に結像して電気信号に変換し、これにより得られた静止画像の画像データを半導体メモリや磁気ディスクのような記録媒体に記録する、いわゆる電子カメラが広く普及しつつある。この電子カメラは、ＬＣＤなどの表示装置を搭載しており、撮影直後に画像を観賞できるため、非常に使い勝手が良い。
【０００３】
また、記録媒体として用いられるメモリの容量増大と画像処理速度の向上とに伴ない、静止画像の撮影だけでなく、動画像として、時間的にほぼ連続した複数の静止画像からなる連写画像を撮影する、いわゆる連写機能を有する電子カメラも開発されてきている。そして、最近では、複数の静止画像を並べて表示装置に一括表示するマルチ画面表示機能を有するものも多いため、連写機能で撮影した連写画像中の静止画像を、このマルチ画面表示機能を用いて表示すれば、同一画面上で被写体像の動作の流れを表すことができ、たとえばゴルフスイング時のフォームチェック等に活用することなどが可能となる。
【０００４】
【発明が解決しようとする課題】
ところで、従来の電子カメラでは、このマルチ画面表示機能を用いて、連写機能で撮影した連写画像中の静止画像を表示する場合、先頭の静止画像から最終の静止画像まで、予め定められた間隔で表示していくために、必ずしもユーザが求めるマルチ画面表示を得ることができないといった問題があった。この問題を図１０および図１１を参照しながら具体的に説明する。
【０００５】
たとえば、図１０に示すように、ゴルフスイング時の連写画像を１５秒間にわたって撮影したとする。そして、この時のスイングの始動が撮影を開始してから１０秒経過した後であったとする（スイング時間は３秒間）。この場合、この電子カメラが１秒間に３０枚の静止画像を撮影したとすると、アドレス姿勢のほぼ同様の静止画像が３００枚分撮影されたことになる。
【０００６】
ここで、この連写画像中の静止画像を３×３（３段３列）の各区画に１５枚おき、つまり０．５秒間隔でマルチ画面表示したとする。すると、図１１に示すように、最初のマルチ画面表示には、すべての区画にアドレス姿勢のほぼ同様の静止画像が表示されてしまうことになる。そこで、ユーザは、所望の静止画像が現れるまでマルチ画面表示を切り換えていき、かつ、所望の静止画像が現れた後は、所望の静止画像のすべてを観賞し終えるまでマルチ画面表示を切り換えていくことになる。
【０００７】
すなわち、たとえば先頭の区画にアドレス姿勢の被写体像が配置され、最終の区画にフィニッシュ姿勢の被写体像が配置されるようなマルチ画面表示を得ることは非常に困難であり、また、たとえば先頭の区画から任意に選んだ中間の区画までの間隔と、この中間の区画から最終の区画までの間隔とを異ならせたマルチ画面表示を得ることなどはまったく不可能であった。
【０００８】
この発明はこのような実情を考慮してなされたものであり、連写画像中の特定部分より抽出された静止画像からなるマルチ画面表示を簡単に得ることのできる画像再生装置および同装置を適用する画像記録装置を提供することを目的とする。
【０００９】
【課題を解決するための手段】
前述した目的を達成するために、この発明は、表示領域を分割して作成した複数の区画それぞれに、他の区画と異なる静止画像を表示するマルチ画面表示機能を有する画像再生装置において、時間的に連続した複数の静止画像で構成される連写画像の中から抽出した複数の静止画像を前記区画に表示するものであって、前記マルチ画面の先頭の区画に表示させる静止画像が前記連写画像中の先頭の画像以外のいずれかの連写画像に切換えられた場合に、当該切換えられた静止画像を先頭の区画に表示するとともに、最終の区画以外の残りの各区画に切換え後の静止画像から最終の静止画像までが時間的に略等間隔になるように前記連写画像の中から抽出した静止画像を表示する前記マルチ画面表示制御手段を具備することを特徴とする。
【００１０】
より具体的には、先頭の区画に表示させる静止画像を選択したときには、この選択した先頭の区画の静止画像から最終の区画に表示中の静止画像までが時間的に略等間隔になるように各区画に表示する静止画像を抽出し、一方、最終の区画に表示させる静止画像を選択したときには、先頭の区画に表示中の静止画像からこの選択した最終の区画の静止画像までが時間的に略等間隔になるように各区画に表示する静止画像を抽出するようにしたものである。
【００１１】
この発明においては、連写画像中の特定部分より時間的に略等間隔で抽出された静止画像からなるマルチ画面表示を簡単に得ることができるため、たとえばゴルフスイングを撮影した連写画像中の静止画像についてマルチ画面表示を行なう際に、先頭の区画にアドレス姿勢の被写体像が配置され、最終の区画にフィニッシュ姿勢の被写体像が配置されるようなマルチ画面表示を容易に得ることが可能となる。
【００１２】
さらに、この発明は、先頭および最終以外の中間の区画に表示される静止画像を選択したときには、先頭の区画に表示中の静止画像からこの選択した中間の区画の静止画像までが時間的に略等間隔になり、かつ、この選択した中間の区画の静止画像から最終の区画に表示中の静止画像までが時間的に略等間隔になるように各区画に表示する静止画像を抽出するようにしたものである。
【００１３】
この発明においては、たとえば先頭の区画から任意に選んだ中間の区画までの間隔と、この中間の区画から最終の区画までの間隔とを異ならせたマルチ画面表示を得ることができるため、前述の先頭の区画にアドレス姿勢の被写体像が配置され、最終の区画にフィニッシュ姿勢の被写体像が配置されるようなマルチ画面表示について、さらに、たとえばアドレス姿勢からインパクト姿勢までの区画数、逆にいえば、インパクト姿勢からフィニッシュ姿勢までの区画数を容易に変更させることが可能となる。
【００１４】
【発明の実施の形態】
以下、図面を参照してこの発明の実施形態を説明する。
【００１５】
図１は、この発明の一実施形態に係る電子カメラの外観図である。図１に示すように、この電子カメラは、大きく分けて、カメラ本体１とレンズ鏡筒２とからなる。カメラ本体１には、光学ファインダ３のほか、操作部として、レリーズボタン４、カメラモードボタン５、撮影モードボタン６、表示切り換えボタン７、確定ボタン８および十字キーボタン９が設けられ、さらに、表示部として、後述するカラー液晶ディスプレイ（ＬＣＤ）２３が設けられている。
【００１６】
次に、図２を用いてこの実施形態に係る電子カメラの内部の詳細な構成を説明する。
【００１７】
図２において、被写体光はレンズ鏡筒２に設けられた撮像レンズ１１を通過した後、絞り１２により光量が制御される。撮像レンズ１１はＡＦモータ１３により駆動され、絞り１２は絞りモータ１４により駆動される。撮像レンズ１１および絞り１２を通過した被写体光はカメラ本体１内に導かれ、カラー固体撮像素子であるＣＣＤ二次元カラーイメージセンサ（以下、単にＣＣＤという）１５に入射する。これによって、ＣＣＤ１５の撮像面上に被写体像が結像される。
【００１８】
ＣＣＤ１５は、光電変換を行なう複数の画素を二次元のマトリクス状に配列して撮像面を構成し、さらに撮像面にカラーフィルタを配置したものであり、ＣＣＤドライバ１６によって駆動制御されることにより、撮像面に結像された被写体像に対応した信号電荷を蓄積する。撮像面に蓄積された信号電荷は、画素信号と呼ばれる電気信号としてＣＣＤ１５から読み出される。
【００１９】
ＣＣＤ１５から読み出された画素信号は、ＣＤＳ（相関二重サンプリング）処理がなされ、Ａ／Ｄ変換器１７によりデジタル信号に変換された後、ＡＥ（自動露出）処理部１８、ＡＦ（自動焦点調整）処理部１９および画像処理部２０に入力される。
【００２０】
ＡＥ処理部１８では、Ａ／Ｄ変換器１７より出力されるデジタル化された画素信号を受け、各画素からの画素信号の累積加算を主体とする演算処理を行ない、この累積加算値に基づき被写体の明るさに応じたＡＥ評価値を求める。
【００２１】
ＡＦ処理部１９では、Ａ／Ｄ変換器１７より出力されるデジタル化された画素信号を受け、たとえば１画面分の画素信号の高周波成分をハイパスフィルタにより抽出し、これに対して累積加算等の演算処理を行なうことによって高域側の輪郭成分量に対応するＡＦ評価値を算出する。
【００２２】
画像処理部２０では、画素信号に対してオートホワイトバランス、色信号の分離その他の処理が施されることにより、所定フォーマットのカラー画像信号が生成される。
【００２３】
画像処理部２０によって生成されたカラー画像信号は、たとえばＤＲＡＭからなるバッファメモリ２１に一時的に記憶される。バッファメモリ２１から読み出されるカラー画像信号は表示処理部２２に導かれ、ここで表示出力に適した形態に変換された後、ＴＦＴ方式などのカラー液晶ディスプレイ（ＬＣＤ）２３に供給され、画像として表示される。
【００２４】
バッファメモリ２１にはさらに圧縮／伸長処理部２４が接続され、この圧縮／伸長処理部２４には記録／再生処理部２５が接続されている。記録／再生処理部２５は、記録媒体２６に対して画像データおよび付随するデータを記録したり、記録媒体２６から画像データおよび付随するデータを再生する処理を行なう。記録媒体２６は、たとえばカード型フラッシュメモリのような半導体メモリにより構成されたメモリカードが一般的に使用されるが、メモリカードに限られるものではなく、たとえばハードディスクやフロッピーディスクのような磁気記録媒体等、種々の形態のものを使用できる。
【００２５】
圧縮／伸長処理部２４は、バッファメモリ２１に記憶された画像信号を読み出して圧縮（符号化）処理を行なうことにより、記録媒体２６への記録に適した形態とするための圧縮処理部と、記録媒体２６に記録された画像データを読み出して伸長（復号化）処理を行なう伸長処理部とからなる。この圧縮処理の方式としては、たとえばＪＰＥＧ方式が用いられるが、これに限られるものではない。伸長処理された画像信号はバッファメモリ２１に一時記憶され、表示処理部２２を経てカラー液晶ディスプレイ２３で適宜表示される。
【００２６】
外部インタフェース部２７は、バッファメモリ２１に記憶された画像信号を読み出して印刷に適した形態に変換した後、外部接続されるプリンタに向けて出力するものであり、これによりプリンタによる画像形成が実行される。
【００２７】
システムコントローラ２８は、ＡＥ処理部１８およびＡＦ処理部１９の処理結果と操作部３０からの指令に基づいて各部を制御するものであり、ＣＰＵを用いて構成される。具体的には、システムコントローラ２８は画像処理部２０、バッファメモリ２１、表示処理部２２、圧縮／伸長処理部２４、記録／再生処理部２５、外部インタフェース部２７ならびにＡＦモータ１３および絞りモータ１４を駆動するモータドライバ４１，４２の制御を行なう。
【００２８】
すなわち、システムコントローラ２８は、ＡＥ処理部１８で得られたＡＥ評価値に基づいてモータドライバ５２を制御し、絞りモータ１４を介して絞り１２を制御することで光量を制御したり、さらにはＣＣＤドライバ１６を介してＣＣＤ１５の電荷蓄積時間を制御することにより、自動露出（ＡＥ）処理を行なう。また、システムコントローラ３１は、ＡＦ処理部１９で得られたＡＦ評価値に基づいてモータドライバ５１を制御し、ＡＦモータ１３を介して撮像レンズ１１を光軸方向に移動させて自動焦点調整（ＡＦ）処理を行なう。
【００２９】
操作部３０は、カメラのユーザによる操作に基づいて各種の動作を行なわせるための指令信号を発生してシステムコントローラ２８に伝達する。具体的には、操作部３０には撮影指示のためのスイッチとして、レリーズスイッチ３１が設けられている。このレリーズスイッチ３１は、静止画像または動画像の撮影を指示するためのものである。
【００３０】
さらに、操作部３０には、撮影モードや再生モード等、この電子カメラの動作モードを指示するためのカメラモードスイッチ３２と、静止画像モードや動画像モード等、この電子カメラの撮影モードを指示するための撮影モードスイッチ３３と、マルチ画面モードや１コマモード等、この電子カメラの再生モードを切り換えるための表示切り換えスイッチ３４と、マルチ画面表示時の区画選択を確定させるための確定スイッチ３５と、マルチ画面表示時の区画選択や画像選択を行なうための十字キースイッチ３６とが設けられている。
【００３１】
図１との対応を説明すると、レリーズスイッチ３１は、レリーズボタン４の押下によりオン状態となるスイッチであり、このレリーズスイッチ３１のオンによりシステムコントローラ２８による制御で画像の記録が指示され、記録媒体２６に圧縮処理された画像データの記録が行なわれる。
【００３２】
カメラモードスイッチ３２は、カメラモードボタン５の押下によりオン状態となるスイッチであり、このカメラモードスイッチ３２のオンによりシステムコントローラ２８による制御によって、この電子カメラの動作モードが撮影モードおよび再生モードのいずれかに設定される。
【００３３】
撮影モードスイッチ３３は、撮影モードボタン６の押下によりオン状態となるスイッチであり、この撮影モードスイッチ３３のオンによりシステムコントローラ２８による制御によって、この電子カメラの撮影モードが静止画像モードおよび動画像モードのいずれかに設定される。
【００３４】
表示切り換えスイッチ３４は、表示切り換えボタン７の押下によりオン状態となるスイッチであり、この表示切り換えスイッチ３４のオンによりシステムコントローラ２８による制御によって、この電子カメラの再生モードがマルチ画面モードおよび１コマモードのいずれかに設定される。
【００３５】
確定スイッチ３５は、確定ボタン８の押下によりオン状態となるスイッチであり、この確定スイッチ３５のオンによりシステムコントローラ２８による制御によって、マルチ画面表示時の区画選択が確定される。
【００３６】
そして、十字キースイッチ３６は、十字キーボタン９の押下によりオン状態となるスイッチであり、この十字キースイッチ３６のオンによりシステムコントローラ２８による制御によって、マルチ画面表示時の区画選択や画像選択が行なわれる。
【００３７】
また、システムコントローラ２８は、前述した各種の制御のほか、時間的な間隔を調整して連写画像中の特定部分を１つの画面上で並べて表示するマルチ画面表示制御といったこの発明に特有の制御を行なう機能を有する。以下、このマルチ画面表示制御について簡単に説明する。
【００３８】
ここでは、前述と同様、図１０に示すように、スイングの始動１０秒前からスイング完了２秒後までの１５秒間にわたって撮影したゴルフスイング時の連写画像中の静止画像を３×３（３段３列）の各区画にマルチ画面表示する場合を例に説明する。
【００３９】
このマルチ画面表示制御では、カメラモードボタン５の操作により画像の再生が指示され、かつ、表示切り換えボタン８の操作によりマルチ画面表示が指示されると、まず、初期状態として、連写画像中の先頭の静止画像を先頭の区画に表示するとともに最終の静止画像を最終の区画に表示し、かつ、残りの各区画には先頭の静止画像から最終の静止画像までが時間的に略等間隔になるように抽出した静止画像を表示する。これと同時に、このマルチ画面表示上で隣接する静止画像の時間的な間隔も表示する。このときの表示例を図３に示す。この図３の例では、各静止画像間が１．８７５秒間隔であることがわかる。
【００４０】
この例の連写画像では、１５秒間中の先頭から１０秒間、すなわち先頭から２／３がアドレス姿勢の静止画像であるため、マルチ画面表示中の先頭の区画から６番目の区画までがこのアドレス姿勢の静止画像で占められる。そこで、ユーザは、先頭の区画に表示させる静止画像を切り換えるべく、十字キーボタン９を操作して先頭の区画を選択するとともに、確定ボタン８を操作してこの選択を確定させた後、再度十字キーボタン９を操作して先頭の区画に表示させる静止画像を切り換える。ここでは、１０秒後の静止画像に切り換えたものとする。この切り換えに伴なって、このマルチ画面表示制御では、この切り換え後の静止画像を先頭の区画に表示し直すとともに、最終の区画以外の残りの各区画に切り換え後の静止画像から最終の静止画像までが時間的に略等間隔になるように抽出した静止画像を表示し直す。このときの表示例を図４に示す。この図４の例では、各静止画像間が０．６２５秒間隔であることがわかる。なお、図４に示すマルチ画面表示中の左上の区画内に表示されるグリッド選択枠ａは、選択された状態にある区画をユーザに識別させるためのガイド表示であり、十字キーボタン９の押下にしたがって区画間を移動する。
【００４１】
この例の連写画像では１５秒間中の最終から２秒間はフィニィッシュ姿勢の静止画像であるため、先頭の区画に表示させる静止画像を１０秒後の静止画像に切り換えると、最終から２／５がフィニィッシュ姿勢となり、マルチ画面表示中の最終の区画から４枚分の区画までがこのフィニィッシュ姿勢で占められる。そこで、ユーザは、今度は最終の区画に表示させる静止画像を切り換えるべく、十字キーボタン９を操作して最終の区画を選択するとともに、確定ボタン８を操作してこの選択を確定させた後、再度十字キーボタン９を操作して最終の区画に表示させる静止画像を切り換える。ここでは、１３秒後の静止画像に切り換えたものとする。この切り換えに伴なって、このマルチ画面表示制御では、この切り換え後の静止画像を最終の区画に表示し直すとともに、先頭の区画以外の残りの各区画に先頭の静止画像から切り換え後の静止画像までが時間的に略等間隔になるように抽出した静止画像を表示し直す。このときの表示例を図５に示す。この図５の例では、各静止画像間が０．３７５秒間隔であることがわかる。
【００４２】
このように、このマルチ画面表示制御によれば、先頭の区画にアドレス姿勢の静止画像が表示され、かつ、最終の区画にフィニッシュ姿勢の静止画像が表示されるような、連写画像中の特定部分より時間的に略等間隔で抽出された静止画像からなるマルチ画面表示を簡単に得ることができるようになる。
【００４３】
次に、ユーザが、さらに図５に示すマルチ画面表示に対し、７枚目の区画に表示された静止画像（１２秒後の静止画像であるとする）以降をより細かく表示させたいと考えた場合について説明する。
【００４４】
この場合、ユーザは、十字キーボタン９を操作してたとえば４番目（中段左）の区画を選択するとともに、確定ボタン８を操作してこの選択を確定させた後、再度十字キーボタン９を操作して４番目の区画に表示させる静止画像を１２秒後の静止画像に切り換える。この切り換えに伴なって、このマルチ画面表示制御では、この切り換え後の静止画像を４番目の区画に表示し直すとともに、先頭および最終の区画以外の残りの各区画に先頭の静止画像から切り換え後の静止画像までが時間的に略等間隔になり、かつ、切り換え後の静止画像から最終の静止画像までが時間的に略等間隔になるように抽出した静止画像を表示し直す。このときの表示例を図６に示す。この図６の例では、先頭の区画から４番目の区画の各静止画像間が０．６７秒間隔であり、４番目の区画から最終の区画の各静止画像間が０．２秒間隔であることがわかる。
【００４５】
このように、このマルチ画面表示制御によれば、先頭の区画にアドレス姿勢の静止画像が表示され、かつ、最終の区画にフィニッシュ姿勢の静止画像が表示されるようなマルチ画面表示について、さらに、たとえばアドレス姿勢からインパクト姿勢までの区画数、逆にいえば、インパクト姿勢からフィニッシュ姿勢までの区画数を容易に変更させたような、先頭の区画から任意に選んだ中間の区画までの間隔と、この中間の区画から最終の区画までの間隔とを異ならせたマルチ画面表示を簡単に得ることができるようになる。
【００４６】
なお、連写機能を有する電子カメラでは、単写により得られる静止画像の画素数と連写により得られる静止画像の画素数とを異ならせている。そこで、この電子カメラでは、連写画像中の静止画像のマルチ画面表示を考慮し、これらの画素数を図７に示すように設定する。すなわち、連写により得られる静止画像の画素数（３２０×２４０）を単写により得られる静止画像の画素数（１２８０×９６０）の整数分の一とする。これにより、マルチ画面表示された画像の記録などを簡単化することが可能となる。
【００４７】
次に、図８および図９に示すフローチャートを用いて、この実施形態の電子カメラにおけるマルチ画面表示制御の手順を説明する。なお、これらの動作の制御はシステムコントローラ２８によって行なわれる。
【００４８】
この電子カメラでは、まず、カメラモードスイッチ３２によりこの電子カメラの動作モードの設定が行なわれる（図８のステップＡ１）。ここで、撮影モードが設定されると（図８のステップＡ１のＮＯ）、画像の撮影処理が実行されることになる（図８のステップＡ２）。
【００４９】
一方、再生モードが設定されると（図８のステップＡ１のＹＥＳ）、今度は切り換えスイッチ３４によりこの電子カメラの再生モードの設定が行なわれる（図８のステップＡ３）。ここで、１コマモードが設定されると（図８のステップＡ３のＮＯ）、ＬＣＤ２３に対して１つの静止画像を表示する１コマモード処理が実行されることになる（図８のステップＡ４）。
【００５０】
そして、マルチ画面モードが設定されると（図８のステップＡ３のＹＥＳ）、まず、十字キースイッチ３６による表示数変更指示の有無を調べ（図８のステップＡ５）、この表示数変更指示があった場合（図８のステップＡ５のＹＥＳ）、表示数の指定を受け付ける（図８のステップＡ６）。この表示数の指定処理は、ＬＣＤ２３によるガイド表示に応答してユーザが十字キーボタン８を押下することにより進められるものであり、３×３を初期設定として、たとえば４×４や２×２などを選択する。
【００５１】
次に、十字キースイッチ３６により記録媒体２６に記録されたすべての連写画像の中からマルチ画面表示させる連写画像が選択されると（図８のステップＡ７）、初期状態として、この選択された連写画像中の先頭の静止画像を先頭の区画に表示するとともに最終の静止画像を最終の区画に表示し、かつ、残りの各区画には先頭の静止画像から最終の静止画像までが時間的に略等間隔になるように抽出した静止画像を表示する（図８のステップＡ８）。
【００５２】
そして、確定スイッチ３５および十字キースイッチ３６による後述するマルチ画面画像編集処理を経た後（図８のステップＡ９）、十字キースイッチ３６により記録媒体２６への記録が指示されると（図８のステップＡ１０のＹＥＳ）、このマルチ画面表示された画像の画像データを当該連写画像が記録された記録媒体２６に当該連写画像と関連づけて記録する（図８のステップＡ１１）。
【００５３】
また、十字キースイッチ３６によりプリント出力が指示されると（図８のステップＡ１２のＹＥＳ）、このマルチ画面表示された画像の印刷データを外部インタフェース部２７を介して外部接続されるプリンタに向けて出力する（図８のステップＡ１３）。
【００５４】
マルチ画面画像編集処理では、まず、十字キースイッチ３６によるグリッド選択枠ａの移動指示があるかどうかを調べ（図９のステップＢ１）、あれば（図９のステップＢ１のＹＥＳ）、十字キースイッチ３６および確定スイッチ３５の操作に応じてグリッド選択枠ａを移動し確定させる（図９のステップＢ２）。次に、十字キースイッチ３６による静止画像の変更指示があるかどうかを調べ（図９のステップＢ３）、あれば（図９のステップＢ３のＹＥＳ）、グリッド選択枠ａが先頭の区画かどうか調べる（図９のステップＢ４）。
【００５５】
グリッド選択枠ａが先頭の区画であれば（図９のステップＢ４のＹＥＳ）、十字キースイッチ３６の操作に応じてグリッド選択枠ａ内の静止画像を変更するとともに（図９のステップＢ５）、最終の区画以外の他のすべての区画の静止画像を、先頭の区画であるグリッド選択枠ａ内の静止画像から最終の区画の静止画像までが時間的に略等間隔になるように抽出した静止画像に変更する（図９のステップＢ６）。
【００５６】
また、グリッド選択枠ａが最終の区画であれば（図９のステップＢ４のＮＯ，図９のステップＢ７のＹＥＳ）、十字キースイッチ３６の操作に応じてグリッド選択枠ａ内の静止画像を変更するとともに（図９のステップＢ８）、先頭の区画以外の他のすべての区画の画像を、先頭の区画の静止画像から最終の区画であるグリッド選択枠ａ内の静止画像までが時間的に略等間隔になるように抽出した静止画像に変更する（図９のステップＢ９）。
【００５７】
さらに、グリッド選択枠ａが先頭および最終以外の中間の区画であれば（図９のステップＢ４のＮＯ，図９のステップＢ７のＮＯ）、十字キースイッチ３６の操作に応じてグリッド選択枠ａ内の静止画像を変更するとともに（図９のステップＢ１０）、先頭の区画および最終の区画以外の他のすべての区画の画像を、先頭の区画の静止画像から中間の区画であるグリッド選択枠ａ内の静止画像までが時間的に略等間隔になり、かつ、中間の区画であるグリッド選択枠ａ内の静止画像から最終の区画の静止画像までが略等間隔になるように抽出した静止画像に変更する（図９のステップＢ１１）。
【００５８】
このように、この電子カメラのマルチ画面表示制御によれば、連写画像中の特定部分より時間的に略等間隔で抽出された静止画像からなるマルチ画面表示を簡単に得ることができるようになり、さらに、先頭の区画から任意に選んだ中間の区画までの間隔と、この中間の区画から最終の区画までの間隔とを異ならせたマルチ画面表示を簡単に得ることができるようになる。
【００５９】
なお、この実施形態では、この発明のマルチ画面表示制御を電子カメラに適用した例を説明したが、これに限られるものではなく、たとえば記録媒体に画像を記録するための画像記録装置や記録媒体に記録された画像を用紙上に形成するための画像形成装置に適用することも可能であり有用である。
【００６０】
【発明の効果】
以上詳述したように、この発明によれば、先頭の区画に表示させる静止画像を選択したときには、この選択した先頭の区画の静止画像から最終の区画に表示中の静止画像までが時間的に略等間隔になるように各区画に表示する静止画像を抽出し、一方、最終の区画に表示させる静止画像を選択したときには、先頭の区画に表示中の静止画像からこの選択した最終の区画の静止画像までが時間的に略等間隔になるように各区画に表示する静止画像を抽出するようにしたことから、たとえばゴルフスイングを撮影した連写画像中の静止画像についてマルチ画面表示を行なう際に、先頭の区画にアドレス姿勢の被写体像が配置され、最終の区画にフィニッシュ姿勢の被写体像が配置されるような、連写画像中の特定部分より時間的に略等間隔で抽出された静止画像からなるマルチ画面表示を簡単に得ることが可能となる。
【００６１】
さらに、先頭および最終以外の中間の区画に表示される静止画像を選択したときには、先頭の区画に表示中の静止画像からこの選択した中間の区画の静止画像までが時間的に略等間隔になり、かつ、この選択した中間の区画の静止画像から最終の区画に表示中の静止画像までが時間的に略等間隔になるように各区画に表示する静止画像を抽出するようにしたことから、たとえばゴルフスイングを撮影した連写画像中の静止画像についてメルチ画面表示を行なう際に、先頭の区画にアドレス姿勢の被写体像が配置され、最終の区画にフィニッシュ姿勢の被写体像が配置され、さらに、アドレス姿勢からインパクト姿勢までの区画数、逆にいえば、インパクト姿勢からフィニッシュ姿勢までの区画数を容易に変更させたような、先頭の区画から任意に選んだ中間の区画までの間隔と、この中間の区画から最終の区画までの間隔とを異ならせたマルチ画面表示を簡単に得ることが可能となる。
【図面の簡単な説明】
【図１】この発明の実施形態に係る電子カメラの外観を示す図。
【図２】同実施形態の電子カメラの詳細な構成を示すブロック図。
【図３】同実施形態の電子カメラにおいて連写画像をマルチ画面表示した場合の表示例を示す図（初期状態）。
【図４】同実施形態の電子カメラにおいて連写画像をマルチ画面表示した場合の表示例を示す図（先頭の区画の画像を変更した状態）。
【図５】同実施形態の電子カメラにおいて連写画像をマルチ画面表示した場合の表示例を示す図（最終の区画の画像を変更した状態）。
【図６】同実施形態の電子カメラにおいて連写画像をマルチ画面表示した場合の表示例を示す図（中間の区画の画像を変更した状態）。
【図７】同実施形態の電子カメラにおける単写により得られる静止画像の画素数と連写により得られる静止画像の画素数との関係を示す図。
【図８】同実施形態の電子カメラにおけるマルチ画面表示制御の手順を説明するためのフローチャート（全体）。
【図９】同実施形態の電子カメラにおけるマルチ画面表示制御の手順を説明するためのフローチャート（マルチ画面画像編集処理）。
【図１０】従来の連写画像のマルチ画面表示における問題を説明するための連写画像の構成を示す図。
【図１１】従来の連写画像のマルチ画面表示における問題を説明するためのマルチ画面表示例を示す図。
【符号の説明】
１…カメラ本体
２…レンズ鏡筒
３…光学ファインダ
４…レリースボタン
５…カメラモードボタン
６…撮影モードボタン
７…表示切り換えボタン
８…確定ボタン
９…十字キーボタン
１１…撮像レンズ
１２…絞り
１３…ＡＦモータ
１４…絞りモータ
１５…ＣＣＤ（固体撮像素子）
１６…ＣＣＤドライバ
１７…Ａ／Ｄ変換器
１８…自動露光処理部
１９…自動焦点調整処理部
２０…画像処理部
２１…バッファメモリ
２２…表示処理部
２３…カラー液晶ディスプレイ（ＬＣＤ）
２４…圧縮／伸長処理部
２５…記録／再生処理部
２６…記録媒体
２７…外部インタフェース
２８…システムコントローラ
３００…操作部
３１…レリーズスイッチ
３２…カメラモードスイッチ
３３…撮影モードスイッチ
３４…表示切り換えスイッチ
３５…確定スイッチ
３６…十字キースイッチ
【図１】
0004460688.tif 000002
【図２】
0004460688.tif 000003
【図３】
0004460688.tif 000004
【図４】
0004460688.tif 000005
【図５】
0004460688.tif 000006
【図６】
0004460688.tif 000007
【図７】
0004460688.tif 000008
【図８】
0004460688.tif 000009
【図９】
0004460688.tif 000010
【図１０】
0004460688.tif 000011
【図１１】
0004460688.tif 000012